(57)【要約】【課題】多種多様な帳票の事前選別作業を低減して効率良く仕分け処理を行うことができる帳票仕分け処理装置を提供する。【解決手段】帳票仕分け処理装置１は、帳票を装置本体内１０に取り込んで該帳票を仕分け収納する。帳票仕分け処理装置１は、前記帳票の厚さ及び大きさを測定でき、前記帳票の寸法が所定の寸法内であるか、それとも所定の寸法外であるかを判断できるように設けられる寸法測定手段１１０、１１１と、帳票を一時的に保留する一時保留手段１０６と、帳票を仕分け収納する複数の収納手段１０８Ｂ〜１０８Ｋと、寸法が所定の寸法外である帳票を一時保留手段１０６で保留しないように帳票の仕分けを制御する仕分け制御手段１０９と、を備える。【選択図】図１
2010064830.tif 000002
【特許請求の範囲】
【請求項１】
帳票を装置本体内に取り込んで該帳票を仕分け収納する帳票仕分け処理装置であって、
前記帳票の厚さ及び大きさを測定でき、前記帳票の寸法が所定の寸法内であるか、それとも所定の寸法外であるかを判断できるように設けられる寸法測定手段と、
前記帳票を一時的に保留する一時保留手段と、
前記帳票を仕分け収納する複数の収納手段と、
寸法が前記所定の寸法外である帳票を前記一時保留手段に保留しないように前記帳票の仕分けを制御する仕分け制御手段と、を備えることを特徴とする帳票仕分け処理装置。
【請求項２】
前記帳票に記載された記載データを読み取る読み取り手段と、
前記読み取り手段によって読み取られた前記記載データを認識する認識手段と、を更に備え、
前記仕分け制御手段は、前記認識手段による前記帳票の種類の判別が正常に行われたか否かに基づいて前記帳票の仕分けを制御することを特徴とする請求項１に記載の帳票仕分け処理装置。
【請求項３】
前記帳票の種類と、前記帳票の厚さ及び大きさとを関連付けたデータを記憶する寸法記億手段を更に備え、
前記仕分け制御手段は、前記認識手段による前記帳票の種類の判別が正常に行われた帳票については、前記寸法測定手段で測定された寸法ではなく、前記寸法記憶手段に記憶されるデータによって得られる寸法に基づいて前記帳票の仕分けを制御することを特徴とする請求項２に記載の帳票仕分け処理装置。
【請求項４】
前記仕分け制御手段は、寸法が前記所定の寸法内であり、且つ、前記認識手段による前記帳票の種類の判別が正常に行われなかった帳票を、前記一時保留手段に保留することを特徴とする請求項２又は３に記載の帳票仕分け処理装置。
【請求項５】
前記仕分け制御手段は、寸法が前記所定の寸法内であり、且つ、前記認識手段による前記帳票の種類の判別が正常に行われた帳票を、前記収納手段に仕分け収納することを特徴とする請求項２から４のいずれかに記載の帳票仕分け処理装置。
【請求項６】
前記複数の収納手段の中から前記帳票の仕分け先を特定するための仕分け先特定データを記憶する記憶手段を更に備え、
前記仕分け制御手段は、前記仕分け先特定データによって仕分け先が特定されない場合には、寸法が前記所定の寸法内であり、且つ、前記認識手段による前記帳票の種類の判別が正常に行われた帳票を、前記収納手段に仕分け収納せずに前記一時保留手段に保留することを特徴とする請求項５に記載の帳票仕分け処理装置。
【請求項７】
前記仕分け制御手段は、寸法が前記所定の寸法外であり、且つ、前記認識手段による前記帳票の種類の判別が正常に行われた帳票を、前記収納手段に仕分け収納することを特徴とする請求項２から６のいずれかに記載の帳票仕分け処理装置。
【請求項８】
前記複数の収納手段の中から前記帳票の仕分け先を特定するための仕分け先特定データを記憶する記憶手段、を更に備え、
前記仕分け制御手段は、前記仕分け先特定データによって仕分け先が特定されない場合には、寸法が前記所定の寸法外であり、且つ、前記認識手段による前記帳票の種類の判別が正常に行われた帳票を、前記収納手段に仕分け収納せずに装置本体外に排出することを特徴とする請求項７に記載の帳票仕分け処理装置。
【請求項９】
前記仕分け制御手段は、寸法が前記所定の寸法外であり、且つ、前記認識手段による前記帳票の種類の判別が正常に行われなかった帳票を仕分け収納せずに装置本体外に排出することを特徴とする請求項２から８のいずれかに記載の帳票仕分け処理装置。
【請求項１０】
前記収納手段に仕分け収納されることなく装置本体外に排出される前記帳票を収容するリジェクト部が更に設けられることを特徴とする請求項１から９のいずれかに記載の帳票仕分け処理装置。
【請求項１１】
前記一時保留手段は、カセットと、該カセットに収容される２本のテープと、を有し、
前記２本のテープの間に前記帳票を挟んで一時保留することを特徴とする請求項１から１０のいずれかに記載の帳票仕分け処理装置。
【発明の詳細な説明】
【技術分野】
【０００１】
本発明は、銀行など金融機関等において使用される帳票仕分け処理装置に関し、詳細には多種多様な帳票の仕分け処理を効率的に行うことができる帳票仕分け処理装置に関する。
【背景技術】
【０００２】
従来、銀行等の金融機関においては、公共料金を納付するための納付書や、国税、社会保険料等の歳入金を納付するための納付書等、非常に多くの種類の帳票が大量に処理されている。これらの帳票の仕分け処理には、帳票の表面に記載されたデータを読み込んで該データにより自動で仕分け処理を行う仕分け処理装置が用いられている。このような帳票仕分け処理装置について、従来、多種類の帳票を効率良く処理でき、且つ、作業者の作業時間の自由度を高めて作業負担を軽減することができる装置が提案されている（例えば、特許文献１参照）。
【０００３】
特許文献１に開示される帳票仕分け処理装置においては、帳票に記載されたデータを読み取った帳票を一時的に保留する一時保留部が備えられる。そして、例えば、帳票に記載されたデータの読み取りが正常に行われなかった帳票、或いは、読み取りが正常に行われたが収納先が特定されていない帳票について、一時保留部に一時保留するようになっている。一方、読み取りが正常に行われ、且つ、収納先が特定されている帳票は、ポケット（収納手段）に分類収納するようになっている。
【特許文献１】特開２００６−１４３３６９号公報
【発明の開示】
【発明が解決しようとする課題】
【０００４】
特許文献１の構成の場合、分類収納できない帳票を一時保留部で一時保留しておくことができるために、確かに、多種類の帳票を効率良く処理でき、更に仕分け作業時の作業者の負担を軽減できる。ところで、帳票のサイズ（大きさ及び厚み）は多様である。このために、帳票仕分け処理装置が備える一時保留部について、あらゆるサイズの帳票を一時保留できる構成とする必要がある。しかしながら、現状、一時保留部をあらゆるサイズの帳票に対応する構成とするのは、コスト面等を考慮すると容易なことではない。
【０００５】
このため、現状は、作業者が帳票の大きさや厚みを目視によって確認し、帳票仕分け処理装置で処理できるものを選別してから装置にセットしている。このため、選別のための時間が必要となり、作業に手間がかかるといった問題があった。また、帳票仕分け処理装置で処理することができない大きさや厚みの帳票を誤ってセットした場合に、一時保留部で帳票を収容できず、一時保留部で帳票詰まり等のジャムが発生するという問題があった。
【０００６】
以上の点を鑑みて、本発明の目的は、多種多様な帳票の事前選別作業を低減して効率良く仕分け処理を行うことができる帳票仕分け処理装置を提供することである。
【課題を解決するための手段】
【０００７】
上記目的を達成するために本発明は、帳票を装置本体内に取り込んで該帳票を仕分け収納する帳票仕分け処理装置であって、前記帳票の厚さ及び大きさを測定でき、前記帳票の寸法が所定の寸法内であるか、それとも所定の寸法外であるかを判断できるように設けられる寸法測定手段と、前記帳票を一時的に保留する一時保留手段と、前記帳票を仕分け収納する複数の収納手段と、寸法が前記所定の寸法外である帳票を前記一時保留手段に保留しないように前記帳票の仕分けを制御する仕分け制御手段と、を備えることを特徴としている。
【０００８】
この構成によれば、所定の寸法外の帳票を一時保留手段に保留しないように制御する構成であるために、所定の寸法を適切に設定することにより、一時保留手段の破損を避けることが可能である。そして、この場合、一時保留手段の破損の心配がないために、多種類の帳票を事前選別せずに、連続して処理することも可能となる。すなわち、本発明の帳票仕分け処理装置によれば、非常に効率良く帳票の仕分け処理を行うことが可能となる。
【０００９】
上記構成の帳票仕分け処理装置において、前記帳票に記載された記載データを読み取る読み取り手段と、前記読み取り手段によって読み取られた前記記載データを認識する認識手段と、を更に備え、前記仕分け制御手段は、前記認識手段による前記帳票の種類の判別が正常に行われたか否かに基づいて前記帳票の仕分けを制御するのが好ましい。これにより、帳票の種類の判別を正確に、且つ効率良く行える。
【００１０】
上記構成の帳票仕分け処理装置において、前記帳票の種類と、前記帳票の厚さ及び大きさとを関連付けたデータを記憶する寸法記億手段を更に備え、前記仕分け制御手段は、前記認識手段による前記帳票の種類の判別が正常に行われた帳票については、前記寸法測定手段で測定された寸法ではなく、前記寸法記憶手段に記憶されるデータによって得られる寸法に基づいて前記帳票の仕分けを制御することとしてもよい。
【００１１】
上記構成の帳票仕分け処理装置の更に具体的な構成として、前記仕分け制御手段は、寸法が前記所定の寸法内であり、且つ、前記認識手段による前記帳票の種類の判別が正常に行われなかった帳票を、前記一時保留手段に保留することとしても良い。これによれば、一時保留手段を使用して効率の良い仕分けを行い易い。
【００１２】
また、上記構成の帳票仕分け処理装置の更に具体的な構成として、前記仕分け制御手段は、寸法が前記所定の寸法内であり、且つ、前記認識手段による前記帳票の種類の判別が正常に行われた帳票を、前記収納手段に仕分け収納することとしても良い。そして、この構成において、前記複数の収納手段の中から前記帳票の仕分け先を特定するための仕分け先特定データを記憶する記憶手段を更に備える構成とし、前記仕分け制御手段は、前記仕分け先特定データによって仕分け先が特定されない場合には、寸法が前記所定の寸法内であり、且つ、前記認識手段による前記帳票の種類の判別が正常に行われた帳票を、前記収納手段に仕分け収納せずに前記一時保留手段に保留することとしても良い。これによれば、帳票仕分け処理装置が仕分け用に有する収納手段の数が限られる場合でも、効率の良い仕分けを実現できる。
【００１３】
上記構成の帳票仕分け処理装置の更に具体的な構成として、前記仕分け制御手段は、寸法が前記所定の寸法外であり、且つ、前記認識手段による前記帳票の種類の判別が正常に行われた帳票を、前記収納手段に仕分け収納するとしても良い。そして、この構成において、前記複数の収納手段の中から前記帳票の仕分け先を特定するための仕分け先特定データを記憶する記憶手段、を更に備え、前記仕分け制御手段は、前記仕分け先特定データによって仕分け先が特定されない場合には、寸法が前記所定の寸法外であり、且つ、前記認識手段による前記帳票の種類の判別が正常に行われた帳票を、前記収納手段に仕分け収納せずに装置本体外に排出することとしても良い。
【００１４】
上記構成の帳票仕分け処理装置の更に具体的な構成として、前記仕分け制御手段は、寸法が前記所定の寸法外であり、且つ、前記認識手段による前記帳票の種類の判別が正常に行われなかった帳票を仕分け収納せずに装置本体外に排出することとしても良い。
【００１５】
上記構成の帳票仕分け処理装置において、前記収納手段に仕分け収納されることなく装置本体外に排出される前記帳票を収容するリジェクト部が更に設けられることとしても良い。これによれば、装置本体外に仕分けされることなく排出される帳票について、その後の取り扱いが行い易い。
【００１６】
また、上記構成の帳票仕分け処理装置において、前記一時保留手段は、カセットと、該カセットに収容される２本のテープと、を有し、前記２本のテープの間に前記帳票を挟んで一時保留することとしても良い。このような構成の場合、一時保留手段を安価に構成できる。一方で一時保留手段に保持できる帳票の寸法に制限が生じるが、所定の寸法外の帳票が誤って一時保留手段に保留されることがないように仕分け制御が行われるので、一時保留手段の破損を避けて多種類の帳票の仕分け処理を効率良く行える。
【発明の効果】
【００１７】
本発明の帳票仕分け処理装置によれば、多種多様な帳票の事前選別作業を低減して効率良く仕分け処理を行うことができる。また、仕分け処理にあたって、仕分け収納用の収納手段だけでなく、一時保留手段やリジェクト部を使用して仕分けを行うことが可能となるため、一連の処理を止めることなく連続して大量の帳票を効率良く仕分け可能である。更に、帳票を一時保留するための一時保留手段の破損が発生する可能性を低減できる。
【発明を実施するための最良の形態】
【００１８】
以下に添付図面を参照して、本発明にかかる帳票仕分け処理装置の好適な実施形態について説明する。
【００１９】
図１は、本実施形態の帳票仕分け処理装置の概略構成を説明する図である。図１に示すようにこの帳票仕分け処理装置１は、帳票仕分け処理装置本体１０と外部制御装置２０とを備えている。帳票仕分け処理装置本体１０は、ホッパ１０１と、繰り出しローラ１０２と、搬送路１０３と、サイズ測定部１１０と、厚み測定部１１１と、エンドーサ１０４と、帳票データ読み取り部１０５と、一時保留部１０６と、排出ローラ１０７と、複数のポケット１０８と、仕分け制御部１０９と、を備えている。
【００２０】
また、外部制御装置２０は、制御部２０１と、表示部２０２と、操作部２０６と、を備えている。制御部２０１は、認識部２０３と、データ記憶部２０４と、修正部２０５と、を備えている。
【００２１】
ホッパ１０１には複数の帳票がセットされ、ホッパ１０１にセットされた帳票が繰り出しローラ１０２により一枚ずつ繰り出されて帳票仕分け処理装置本体１０に取り込まれる。帳票仕分け処理装置本体１０内に取り込まれた帳票は、該帳票仕分け処理装置本体１０内を搬送路１０３により一枚ずつ搬送される。
【００２２】
なお、本実施形態においては、ホッパ１０１にセットできる帳票のサイズは、多種類ある帳票に幅広く対応できるように構成している。具体的には、本実施形態の場合、最小サイズとして長さが７４ｍｍ、幅が５２ｍｍ、最大サイズとして長さが２９０ｍｍ、幅が２００ｍｍの帳票に対応可能となっている。ここで、帳票の長さとは、搬送方向と平行な方向の帳票の寸法を指す。また、帳票の幅とは、帳票の長さ方向と垂直な方向の寸法を指す。
【００２３】
サイズ測定部１１０は、搬送路１０３の途中に設けられ、繰り出しローラ１０２により繰り出された帳票の長さ及び幅を測定する。厚み測定部１１１は、搬送路１０３の途中に設けられ、繰り出しローラ１０２により繰り出された帳票の厚みを測定する。本実施形態では、厚み測定部１１１はサイズ測定部１１０の後段（搬送路の下流側）に配置されている。サイズ測定部１１０と厚み測定部１１１とは、寸法測定手段の一実施形態である。そして、このような寸法測定手段を設けるのは、後述の一時保留部で保留できる帳票の寸法に制約があることを考慮するものである。
【００２４】
図２は、帳票仕分け処理装置本体１０に備えられるサイズ測定部１１０の構成を説明する図で、図１に示すサイズ測定部１１０を上から見た場合を想定した図である。なお、図２には、大きさの異なる３種類の帳票３０（３０ａ〜３０ｃ）も合わせて示している。図２に示すように、サイズ測定部１１０は、帳票の幅方向に一列に並んだ３つの光透過型フォトインタラプタ１１０ａ、１１０ｂ、１１０ｃを備える。
【００２５】
光透過型フォトインタラプタ１１０ａは帳票の長さを測定するために用いられる。搬送路１０３を搬送される帳票３０が光透過型フォトインタラプタ１１０ａを通過すると、光透過型フォトインタラプタ１１０ａは遮光を検知する。搬送路１０３を搬送される帳票３０の搬送速度は一定であるために、光透過型フォトインタラプタ１１０ａが遮光を検知した時間を測定することによって帳票３０の長さが算出される。すなわち、サイズ測定部１１０は、光透過型フォトインタラプタ１１０ａによって搬送路１０３を通過する帳票３０の長さを認識する。
【００２６】
なお、本実施形態においては、搬送路１０３を搬送される帳票３０は搬送方向と平行な一辺を搬送路１０３の壁１０３ａに押し当てられた状態で搬送される。そして、搬送路１０３を搬送される帳票３０の幅は様々である。このため、帳票仕分け処理装置本体１０に取り込まれるどのような幅の帳票３０に対しても長さの測定が行えるように、光透過型フォトインタラプタ１１０ａは壁１０３ａに近い位置に配置されている。
【００２７】
２つの光透過型フォトインタラプタ１１０ｂ、１１０ｃは帳票３０の幅を測定するために用いられる。光透過型フォトインタラプタ１１０ｂは、搬送路１０３の壁１０３ａからほぼ８０ｍｍの位置に配置され、８０ｍｍより小さい帳票３０が通過する場合は遮光されず、８０ｍｍ以上の幅を有する帳票３０が通過する場合に遮光されるようになっている。また、光透過型フォトインタラプタ１１０ｃは、搬送路１０３の壁１０３ａからほぼ１３０ｍｍの位置に配置され、１３０ｍｍ以下の幅を有する帳票３０が通過する場合は遮光されず、１３０ｍｍより大きい幅を有する帳票３０が通過する場合に遮光されるようになっている。
【００２８】
すなわち、幅が８０ｍｍより小さい帳票３０ａが搬送路１０３を通過する際には、光透過型フォトインタラプタ１１０ｂ、１１０ｃのいずれも遮光されない。また、幅が８０ｍｍ以上、１３０ｍｍ以下の帳票３０ｂが搬送路１０３を通過する際には、光透過型フォトインタラプタ１１０ｂのみが遮光される。更に、幅が１３０ｍｍより大きい帳票３０ｃが搬送路１０３を通過する際には、光透過型フォトインタラプタ１１０ｂ、１１０ｃのいずれも遮光される。
【００２９】
したがって、サイズ測定部１１０は、２つの光透過型フォトインタラプタ１１０ｂ、１１０ｃのうち、いずれも遮光されていない場合は、搬送路１０３を搬送される帳票３０が８０ｍｍより小さいと認識する。また、光透過型フォトインタラプタ１１０ｂのみが遮光された場合は、搬送路１０３を搬送される帳票３０が８０ｍｍ以上、１３０ｍｍ以下であると認識する。更に、２つの光透過型フォトインタラプタ１１０ｂ、１１０ｃのうち、いずれも遮光されている場合は、搬送路１０３を搬送される帳票３０が１３０ｍｍより大きいと認識する。
【００３０】
なお、以上においては、サイズの測定のために光透過型フォトインタラプタを用いる構成としたが、これに限定される趣旨ではない。例えば、光反射型フォトインタラプタでも良いし、光センサを用いるのではなく、帳票の画像をＣＣＤ等の画像センサによって取り込み画像解析によってサイズを測定する構成等としても勿論構わない。
【００３１】
図３は、帳票仕分け処理装置本体１０に備えられる厚み測定部１１１の構成を説明する図である。図３においては、帳票３０も合わせて示している。図３に示すように、厚み測定部１１１は、回転部材１１１ａと、マイクロ変位センサ１１１ｂと、を備える。回転部材１１１ａは、断面視略Ｖの字状に形成され、搬送方向と略垂直な方向（図３の紙面と垂直な方向）に延びる軸１１１ｃを中心に回転可能となって、搬送路１０３の上に配置されている。また、回転部材１１１ａの下を帳票３０が通過しない場合（帳票３０による力を受けていない場合）には、図示しない付勢手段によって回転部材１１１ａの位置は一定の位置となるように調整されている。
【００３２】
マイクロ変位センサ１１１ｂは、回転部材１１１ａの下を帳票３０が通過しない状態（帳票３０による力を受けていない状態）において、回転部材１１１との距離が所定の距離ｄ（例えばｄは３ｍｍ程度）となるように固定配置されている。本実施形態では、このマイクロ変位センサ１１１ｂは、０．０１ｍｍの変位を検出可能となっている。なお、上述のように搬送路１０３を搬送される帳票３０のサイズは様々である。このために、搬送路１０３を搬送される全ての帳票３０の厚みを測定できるように、厚み測定部１１１の配置は調整されている。
【００３３】
搬送路１０３を搬送される帳票３０が回転部材１１１ａの下を通過すると、回転部材１１１ａは帳票３０に押されて回転する。この回転により、回転部材１１１ａとマイクロ変位センサ１１１ｂとの間の距離が変位し、マイクロ変位センサ１１１ｂは、この変位量を検知する。帳票３０の厚みによってマイクロ変位センサ１１１で検出される変位量は異なるために、帳票３０の厚みと変位量との関係を予め求めておけば、マイクロ変位センサ１１１ａによって検出される変位量から帳票３０の厚みを算出できる。すなわち、厚み測定部１１１は、回転部材１１１ａとマイクロ変位センサ１１１ｂとを用いて搬送路１０３を通過する帳票３０の厚みを認識する。
【００３４】
なお、本実施形態においては、回転部材１１１ａとマイクロ変位センサ１１１ｂとを用いて搬送路１０３を搬送される帳票３０の厚みを測定する構成とした。しかし、この構成に限定される趣旨ではなく、例えば、マイクロ変位センサのみを用いて搬送路を搬送される帳票の厚みを測定する構成等としても構わない。ただし、本実施形態のように、回転部材と共にマイクロ変位センサを用いた方が、例えば帳票が撓んでいた場合にも誤差の発生し難い構成とできる。
【００３５】
図１に戻って、エンドーサ１０４は、厚み測定部１１１の後段となる搬送路１０３の途中に設けられ、帳票仕分け処理装置本体１０に取り込まれた帳票に管理通番を印刷する。この管理通番は、後述する帳票データと帳票本体とを対応付けて付与される管理番号であり、この管理通番を用いることにより、帳票本体から該当する帳票データを特定することができ、また、帳票データから該当する帳票を特定することができる。
【００３６】
帳票データ読み取り部（読み取り手段）１０５は、イメージスキャナなどの光学的文字読み取り機能を有し、仕分け処理対象となる帳票の表面に記載された情報のイメージ画像を読み込んで装置内に取り込むための入力部である。たとえば図４に示すように帳票３０のイメージ画像を光学的に読み込んでイメージ画像データを生成する。帳票データ読み取り部１０５は、読み込んだイメージ画像データをデータ記憶部２０４に出力する。また、帳票データ読み取り部１０５は、帳票の表面と裏面の両面に情報が記載されている場合には、両面のイメージ画像を読み込んでデータ記憶部２０４に出力する。
【００３７】
一時保留部（一時保留手段）１０６は、帳票データ読み取り部１０５においてイメージ画像データを読み取った帳票を、装置外に排出するまで一時的に保留する保留部である。この一時保留部１０６は、例えば、帳票データ読み取り部１０５においてイメージ画像データを読み取った帳票の全部を原則として保留するような使い方も可能である。また、例えば、帳票データ読み取り部１０５においてイメージ画像データを読み取った帳票のうち、読み取った帳票のイメージ画像データの認識が認識部２０３において正常に行われなかった帳票のみを原則として保留するような使い方も可能である。
【００３８】
前者の場合には、イメージ画像データを読み取った全ての帳票において、データの確認・修正を確実に行うことができ、仕分け間違いを確実に防止することができるという利点を有する。後者の場合には、確認・修正をおこなうデータの数を低減することができるため、帳票の処理効率をさらに向上させることができるという利点を有する。更に、上記２つの例の他に、例えば、仕分けを行う帳票の種類が多い場合には搬送先を特定できない場合も発生するため、そのような搬送先が特定されない帳票を一時的に保留するために、一時保留部１０６を使用することも可能である。
【００３９】
また、本実施形態の帳票仕分け処理装置１においては、一時保留部１０６を複数個（４個）備える。一時保留部１０６を複数個備えることにより一度の処理において大量の帳票を一時保留部１０６に保留することができるため、大量の帳票の仕分け処理を行う場合でも効率的な帳票処理が可能となる。また、一時保留部１０６を複数備えることにより、たとえば帳票の種類毎に一時保留部１０６を用いることが可能となり、一時保留手段に保留した帳票類の仕分け、収納をスムーズに行うことができる。
【００４０】
ここで、帳票を一時的に保留する一時保留部１０６について更に詳細に説明する。図５に一時保留部１０６の一構成例を説明する断面図を示す。ここでは、一時保留部１０６をカセット構造とした場合の例を示している。このカセット３０１は箱形に形成され、一側面の上方位置に帳票Ｐを長手方向として出入り可能とする横長スリット状の帳票出入口３０２が開口されている。また、この構成例では２本のテープＴＡ、ＴＢ（以下、２本のテープを総称してテープＴと呼ぶ場合がある）を使用し、該テープＴＡとテープＴＢとの間に帳票Ｐを長手方向に挟んで収納するように構成した場合を示している。テープＴには、たとえば一軸延伸テープが用いられる。また、テープＴの表面は、シリコン等のコーティングが施されて粘着物付着によるジャミングの発生が防止されていることが好ましい。
【００４１】
図５に示すように帳票出入口３０２の内部直近位置には、テープＴＡ、ＴＢが経由するローラ３０３Ａ、３０３Ｂが上下に対向して設けられている。また、この上側に設けられたローラ３０３Ａの奥側には、たとえば図６に示すようにテープ用のガイドフランジが設けられたリール状を呈する第１の巻取りローラ３０４Ａが、第１の巻取り軸３０５Ａにテンション付加用トルクリミッタ３０６Ａを介して取付けられている。また、下側に設けられたローラ３０３Ｂの下方側には、たとえば図６に示すようにテープ用のガイドフランジが設けられたリール状を呈する第１の巻取りローラ３０４Ｂが、第１の巻取り軸３０５Ｂにテンション付加用トルクリミッタ３０６Ｂを介して取付けられている。また、第１の巻取りローラ３０４Ａおよび第１の巻取りローラ３０４Ｂの近傍には、アイドラ３０９Ａ、３０９Ｂが配置されている。
【００４２】
上記第１の巻取りローラ３０４Ａ、３０４Ｂの間の略中央位置には、帳票幅と同等またはそれ以上の長さの軸長を有する第２の巻取りローラ３０７が第２の巻取り軸３０８に支持されている。図７は、第２の巻取りローラ３０７への帳票Ｐの収納を説明するための要部斜視図である。この第２の巻取りローラ３０７に巻かれたテープＴＡ、ＴＢは、前記のローラ３０３Ａ、３０３Ｂ、アイドラ３０９Ａ、３０９Ｂを経由して第１の巻取りローラ３０４Ａ、３０４Ｂにそれぞれ導かれる。
【００４３】
なお、図７においてはテープＴＡおよびテープＴＢのテープ幅が帳票幅の略１／３程度に示されているが、このテープ幅は特に限定されるものではなく、帳票を確実にテープＴＡおよびテープＴＢにより挟み込んで収納及び繰り出しができる幅であれば適宜設定可能である。なお、帳票に印紙等が貼付されることを考慮した場合には、テープＴＡおよびテープＴＢのテープ幅は、印紙等が貼付される部分をテープＴＡおよびテープＴＢで覆うことができる幅とすることが好ましい。テープＴＡおよびテープＴＢのテープ幅をこのような幅とすることにより、印紙等の剥がれ等を防止して帳票の収納及び繰り出しを行うことができる。
【００４４】
図５および図７に示すように第２の巻取りローラ３０７の外周には、帳票Ｐの有無を検知するためのセンサＳ1が第２の巻取りローラ３０７の外周面から所定の距離を隔てて配置されている。これにより、１枚の帳票Ｐが第２の巻取りローラ３０７に巻付いていてもこれを検知することができるようになっている。
【００４５】
そのほかカセット３０１内には、図５に示すようにローラ３０３Ａ、３０３Ｂと第２の巻取りローラ３０７との間にテープＴを挟んで設けられた一対の帳票検知用センサＳ2、ローラ３０３Ａとアイドラ３０９Ａとの間にテープＴを挟んで設けられたテープＴの両終端検知用センサＳ3が配置されている。
【００４６】
また、カセット３０１の帳票出入口３０２の外部には、帳票出入口３０２への帳票Ｐの繰込みまたは取出しのための搬送装置３１０が配設されている。この搬送装置３１０は、たとえば上下一対のベルトまたはローラ列により構成することができる。
【００４７】
このように構成された一時保留部１０６内に帳票を納入する場合は、図５に示すように図示しない駆動系により第２の巻取り軸３０８を同図において時計方向（矢印方向）に回動させる。これにより第２の巻取りローラ３０７は時計方向（矢印方向）に回動し、テープＴが該第２の巻取りローラ３０７に巻き取られる。このとき第２の巻取り軸３０８の回転速度はテープＴＡ、ＴＢの巻取り速度Ｖ1 が搬送装置３１０の搬送速度Ｖ2 より大きくなるように設定され、帳票Ｐを引き込むよう作用することにより、帳票のジャムが防止される。
【００４８】
また、第２の巻取りローラ３０７によりテープＴＡ、ＴＢを巻取る際、第１の巻取りローラ３０４Ａ、３０４ＢはテープＴの引張り作用により反時計方向に回転しようとするが、第１の巻取りローラ軸３０５Ａ、３０５Ｂが反時計方向には回転しないのでテープＴＡ、ＴＢにテンションが発生する。そして、このテンションが所定以上になるとトルクリミッタ３０６Ａ、３０６Ｂに所定以上のトルクがかかり、第１の巻取りローラ３０４Ａ、３０４Ｂが反時計方向（矢印方向）に回転するようになる。その結果、テープＴＡ、ＴＢには常にトルクリミッタの設定トルクに応じたテンションが付与されることになる。
【００４９】
このようにして、収納すべき帳票Ｐの収納が終了すると駆動系が停止される。また、このとき、収納された帳票Ｐの枚数は帳票検知用センサＳ2 によってカウントされる。そして、帳票Ｐの収納指令がある毎に上記作用を繰り返して帳票Ｐを収納していくが、帳票Ｐの収納が進んで所定量を収納すると、テープＴの終端がセンサＳ3 により検知され、それ以上の受収を停止する。これによりテープＴの破損等を防止して、確実に帳票を収納することができる。
【００５０】
帳票Ｐを排出する場合は、図示しない駆動系により図８に示すように第２の巻取り軸３０８が同図において反時計方向（矢印方向）に回動し、第２の巻取りローラ３０７を反時計方向（矢印方向）に回転させてテープＴＡ、ＴＢを巻戻していく。また、このとき、第１の巻取り軸３０５Ａ、３０５ＢにはこのテープＴＡ、ＴＢが巻き戻される速度よりも速い巻き取り速度の動力が駆動系から与えられる。これにより、テープＴＡ、ＴＢの巻戻される速度よりも速い速度で第１の巻取りローラ３０４Ａ、３０４ＢがテープＴＡ、ＴＢを巻取ろうとするので、テープＴＡ、ＴＢはたるむことがなくテープＴＡ、ＴＢにテンションが生じる。そして、そのテンションが所定以上になるとトルクリミッタ３０６Ａ、３０６Ｂに所定以上のトルクがかかり、滑りを生じることになる。その結果、テープＴＡ、ＴＢには常にトルクリミッタ３０６Ａ、３０６Ｂの設定トルクに応じたテンションが付与されることになる。
【００５１】
このようにして、テープＴＡ、ＴＢが第２の巻取りローラ３０７から巻戻されていくのにつれてテープＴＡ、ＴＢ間の帳票Ｐは帳票出入口３０２から投出され、搬送装置３１０へ受け渡される。そして、排出されるべき枚数の帳票Ｐが帳票検知用センサＳ2 で検知されると駆動系が停止され、帳票の一時保留部１０６からの排出が終了する。そして、帳票Ｐの排出指令がある毎に上記動作を繰り返して帳票Ｐを排出していくが、帳票Ｐがすべて排出されてしまうと、センサＳ1 が「帳票未収納状態」を検出して、第２の巻取りローラ３０７に収納されている帳票が無くなったことを制御装置側へ知らせる。この帳票の排出時にはテープＴの速度Ｖ1 と搬送装置３１０の速度Ｖ2 の関係はＶ1 ＜Ｖ2 とされ、Ｖ2 の方が所定量だけ大きくされており、帳票のジャムを防止しながら帳票Ｐを引き抜くように作用する。
【００５２】
本実施形態の一時保留部１０６は以上のようなカセット構造を有するが、このカセット構造の一時保留部１０６においては、一時保留できる帳票の寸法に制限がある。すなわち、上述のように本実施形態の帳票仕分け処理装置１においては、対応できる帳票のサイズを、最小で長さが７４ｍｍ、幅が５２ｍｍ、最大で長さが２９０ｍｍ、幅が２００ｍｍとしている。しかし、本実施形態の一時保留部１０６においては、この範囲の全ての寸法を取り込むことができず、所定の寸法内（具体的には、例えば長さ９０ｍｍ〜２３０ｍｍ、幅８０ｍｍ〜１３０ｍｍ）の帳票しか取り込むことができない。所定の寸法外の帳票を一時保留部１０６に保留しようとするとジャム等が発生するためである。このため、上述したサイズ測定部１１０を設け、所定の寸法外の帳票は一時保留部１０６で保留しないようにしている。
【００５３】
また、帳票の厚みについても、帳票仕分け処理装置１においては、一例として０．０６ｍｍ〜０．２６ｍｍに対応可能としているが、所定の厚み（具体的には、例えば０．１５ｍｍ以下）を超えると一時保留部１０６に取り込めない。このため、上述した厚み測定部１１１を設け、所定の厚み外の帳票は一時保留部１０６で保留しないようにしている。このように、帳票の寸法（大きさ及び厚み）によって一時保留部１０６に保留しないようにする動作の詳細は後述する。
【００５４】
図１を参照して、認識部２０３は、たとえばＯＣＲ（Optical Character Reader）などのように文字認識機能を有し、帳票データ読み取り部１０５が読み込んだ帳票のイメージ画像データから文字を識別し文書に変換して認識する認識手段である。認識部２０３では、帳票データ読み取り部１０５が読み込み、データ記憶部２０４に出力したイメージ画像データから文字を識別し文書に変換して認識し、データ記憶部２０４に出力する。
【００５５】
データ記憶部２０４は、帳票データ読み取り部１０５が読み込んだ帳票のイメージ画像データと、認識部２０３が文字を識別し文書に変換して認識した帳票の認識データと、を記憶するデータ記憶手段である。
【００５６】
修正部２０５は、認識部２０３が認識してデータ記憶部２０４に記憶した帳票の認識データを確認・修正する修正手段である。認識データの確認・修正を行う場合には、該当する帳票のイメージ画像データと認識データとを表示部２０２に表示させ、これらを目視で比較することで認識データの正当性の確認を行い、認識の間違いがある場合には操作部２０６を用いて認識データの修正を行う。操作手段としては、通常のキーボード、マウスまたは表示部２０２に備えられたタッチパネル機能などを利用して行うことができる。
【００５７】
このように、認識部２０３、データ記憶部２０４および修正部２０５を外部制御装置２０に備え、該認識部２０３、データ記憶部２０４および修正部２０５における処理を外部操作可能とされることで、帳票仕分け処理装置本体１０の小型化が可能となり、また帳票仕分け処理装置１の形状の自由度および配置の自由度が大きくなる。このような認識部２０３とデータ記憶部２０４と修正部２０５とを備えた外部制御装置２０としてはたとえば、一般のパソコン等を用いることができる。
【００５８】
なお、本実施形態では、外部制御装置２０により認識データの修正等の処理を行う構成としているが、この構成に限定されない。すなわち、例えば外部制御装置２０に設けた機能を帳票仕分け処理装置本体１０に一体的に設けても構わない。また、例えば他のパソコン等をネットワークで外部制御装置２０に接続し、該パソコンから修正部２０５にアクセスして認識データの確認・修正処理を行うことも可能である。このような形態を取ることにより、認識データを記憶し、納付書を一時保留部１０６に保留した時点で帳票仕分け処理装置１での処理を中断し、帳票仕分け処理装置１から離れた他のパソコンで確認・修正処理を行うことが可能である。これにより、他の作業者がすぐに別のバッチの帳票処理作業を行うことができ、複数バッチの帳票処理作業を複数の作業者が同時に且つスムーズに行うことができる。
【００５９】
ポケット１０８は、帳票仕分け処理装置本体１０に取り込まれた帳票を仕分け収納せずに装置本体１０外に排出するためのリジェクト部として機能するＲＪポケット１０８Ａと、帳票を仕分け収納する収納手段として機能する仕分け用ポケット１０８Ｂ〜１０８Ｋと、の２種類から成る。このポケット１０８は、帳票仕分け処理装置本体１０の外側面に配置されている。
【００６０】
帳票は一時保留部１０６から搬送路１０３により搬送されるが、搬送路１０３の終端には排出ローラ１０７が複数設けられており、該排出ローラ１０７によりポケット１０８に排出される。本実施形態では、ＲＪポケット１０８Ａの数は１個、仕分け用ポケット１０８Ｂ〜１０８Ｋの数は１０個としているが、これは適宜変更可能である。また、仕分け用ポケット１０８Ｂ〜１０８Ｋは、ポケット毎に予め設定された所定の帳票が仕分け収納される。
【００６１】
なお、本実施形態では、帳票の収納手段として上記のポケットを備える場合について説明しているが、帳票仕分け処理装置１内にたとえば複数のスタッカを備え、該スタッカをポケット１０８の代わりに用いる構成等とすることも可能である。
【００６２】
仕分け制御部１０９は、サイズ測定部１１０及び厚み測定部１１１からなる寸法測定手段の寸法測定結果、認識部２０３での認識結果、及び仕分け先を特定する仕分け先特定データに基づいて、帳票仕分け処理装置本体１０内に取り込まれた帳票の仕分けを制御する。ここで、認識部２０３での認識結果とは、ＯＣＲでの認識が正常になされており、帳票の種類の判別が正常に行われた場合に該当するか、それともＯＣＲでの認識が正常になされておらず、帳票の種類の判別が正常に行われてない場合に該当するか、を判断した結果のことを指している。また、本実施形態では仕分け制御部１０９が、帳票の仕分け収納する仕分け用ポケット１０８Ａ〜１０８Ｋを特定する仕分け先特定データを記憶する特定データ記憶部１０９ａを有する構成としている。ただし、この仕分け先特定データはデータ記憶部２０４などの他の構成部が有する構成としても良い。
【００６３】
表示部２０２は、帳票仕分け処理装置１の処理における操作画面や、帳票データ読み取り部１０５が読み込んだ帳票のイメージ画像データ、認識部２０３が文字を識別し文書に変換して認識した帳票の認識データなどのデータ類などを表示する。
【００６４】
つぎに、以上のように構成された本実施形態の帳票仕分け処理装置１の動作について、帳票の一例である公共料金の料金納付用の納付書（以下、単に納付書と呼ぶ。）を仕分け処理する場合を例に図９〜図１７を参照して説明する。図９及び図１０は、帳票仕分け処理装置の処理手順を説明するためのフローチャートである。また、図１１〜図１７は帳票仕分け処理中の表示部２０２の表示画面を示した図である。
【００６５】
まず、作業者は、帳票仕分け処理装置１の電源を投入する。電源を投入すると、表示部２０２にはたとえば図１１に示すような初期画面が表示される。作業者は、キーボード等の操作部２０６を用いて表示画面の「公共料金（Ｆ１）」のボタンを選択する。「公共料金（Ｆ１）」のボタンを選択すると、表示部２０２の画面には図１２に示すような「公金取りまとめシステム」の画面が表示される。
【００６６】
ここで、図１２の画面について簡単に説明する。「作業日入力（Ｆ１）」のボタンは、作業日を入力する画面を選択するためのボタンである。「取りまとめ処理（Ｆ２）」のボタンは、取りまとめ処理メニューの画面を選択するためのボタンである。「マスタ保守（Ｆ３）」のボタンは、取り扱い帳票の種別やその他判断に必要なデータの設定、変更を行う画面を選択するためのボタンである。「データ保守（Ｆ４）」のボタンは、過去のデータの検索等を行う画面を選択するためのボタンである。「バックアップ（Ｆ５）」のボタンは、データのバックアップを行う画面を選択するためのボタンである。「戻る（Ｆ１２）」のボタンは、図１１に示す初期画面に戻るためのボタンである。
【００６７】
つぎに、作業者は、仕分け対象である帳票として様々な種類の納付書が混在したものをホッパ１０１にセットする。そして、作業者は、キーボード等の操作部２０６を用いて、図１２に示す「公金取りまとめシステム」の画面において、「取りまとめ処理（Ｆ２）」のボタンを選択する。「取りまとめ処理（Ｆ２）」のボタンを選択すると、図１３に示すような「取りまとめ処理メニュー」の画面が表示される。
【００６８】
ここで、図１３の画面について簡単に説明する。「公金入力（Ｆ１）」のボタンは、公金入力メニューを選択するためのボタンである。「日計照会（Ｆ２）」のボタンは、一日単位の集計データを照会する画面を選択するためのボタンである。「日計表印刷（Ｆ３）」のボタンは、一日単位の集計データの印刷画面を選択するためのボタンである。「月計照会（Ｆ４）」のボタンは、一月単位の集計データを選択するためのボタンである。「月計表印刷（Ｆ５）」のボタンは、一月単位の集計データの印刷画面を選択するためのボタンである。「年計照会（Ｆ６）」のボタンは、一年単位の集計データを照会する画面を選択するためのボタンである。「年計表印刷（Ｆ７）」のボタンは、一年単位の集計データの印刷画面を選択するためのボタンである。「送付票印刷（Ｆ８）」のボタンは、市、県、国等の外部機関へ帳票を送付するときに添付する明細表等の印刷画面を選択するためのボタンである。「戻る（Ｆ１２）」のボタンは、図１２に示す「公金取りまとめシステム」の画面に戻るためのボタンである。
【００６９】
つぎに図１３に示す「取りまとめ処理メニュー」の画面において「公金入力（Ｆ１）」のボタンを選択する。「公金入力（Ｆ１）」のボタンを選択すると、図１４に示す「公金入力メニュー」の画面が表示される。「公金入力メニュー」の画面において「新規入力（Ｆ１）」のボタンは、新規に公金入力処理を行う「公金入力」の画面を選択するためのボタンである。「中断入力再開（Ｆ２）」のボタンは、過去に読み込んだデータの処理画面を選択するためのボタンである。この「中断入力再開（Ｆ２）」のボタンを選択することにより、データ記憶部２０４に記憶されている認識データの確認・修正処理から仕分け処理を開始することができる。「戻る（Ｆ１２）」のボタンは、図１３に示す「取りまとめ処理メニュー」の画面に戻るためのボタンである。
【００７０】
つぎに、図１４の画面で「新規入力（Ｆ１）」のボタンを選択すると、図１５に示す「公金入力」の画面が表示される。ここで、「公金入力」の画面について簡単に説明する。「公金入力」の画面は、認識データの内容が表示される認識データ表示欄２０２−１と、スキャナで読み込めない納付書のデータであって手入力で入力した納付書枚数の合計および納付書金額の合計が表示される手入力合計欄２０２−２と、ＯＣＲで認識した納付書枚数の合計および納付書金額の合計が表示されるＯＣＲ合計欄２０２−３と、認識データ表示欄２０２−１において選択したデータが表示される選択表示欄２０２−４と、ＯＣＲで読み取った納付書の枚数を表示するＯＣＲ読み取り枚数表示欄２０２−５と、データのバッチ番号を入力するバッチ番号入力欄２０２−８と、を備える。
【００７１】
また、スキャンのスタートボタンである「スキャン開始（Ｆ１）」のボタンと、データの修正画面を選択する「イメージ入力（Ｆ２）」のボタンと、データの削除を行う「削除（Ｆ３）」のボタンと、カーソルを操作する「カーソル移動（Ｆ４）」のボタンと、一時保留部１０６に保留した納付書の排出を行う「排出（Ｆ５）」のボタンと、図１４に示す「公金入力メニュー」の画面に戻る「戻る（Ｆ１２）」のボタンと、ポケットの設定条件等を変更する「ポケット変更（Ｆ６）」のボタンと、を備える。
【００７２】
つぎに図９及び図１０のフローチャートを用いて具体的な処理について説明する。図１５に示す「公金入力」の画面で「スキャン開始（Ｆ１）」のボタンを選択すると、スキャナが起動し、繰り出しローラ１０２が動作してホッパ１０１にセットした納付書を１枚ずつ帳票仕分け処理装置１内に取り込み始める（ステップＳ１０１）。
【００７３】
帳票仕分け処理装置１内に取り込まれた納付書は、搬送路１０３に沿って搬送され、まずサイズ測定部１１０、厚み測定部１１１の順に通過する。これにより、納付書の長さ、幅及び厚みに関する測定が行われる（ステップＳ１０２）。測定されたデータは仕分け制御部１０９に送られる。寸法測定が行われた納付書は、次ぎにエンドーサ１０４を通過する。納付書がエンドーサ１０４を通過する際、納付書には該エンドーサ１０４により所定の管理通番が印刷される（ステップＳ１０３）。
【００７４】
エンドーサ１０４を通過した納付書は、帳票データ読み取り部１０５であるイメージスキャナに搬送される。納付書が帳票データ読み取り部１０５に搬送されると、帳票データ読み取り部１０５（イメージスキャナ）は納付書の表面に記載された情報のイメージ画像データの読み込みを開始し、読み込んだイメージ画像データをデータ記憶部２０４に出力する。データ記憶部２０４では、読み込んだイメージ画像データを記憶する（ステップＳ１０４）。また、イメージ画像データの読み込み中の画面には、「スキャン中」というダイアログが表示される。
【００７５】
データ記憶部２０４に納付書のイメージ画像データが記憶されると、認識部２０３ではデータ記憶部２０４に記憶されたイメージ画像データからＯＣＲにより文字を識別して認識データを生成し、該認識データをデータ記憶部２０４に出力する。データ記憶部２０４ではこの認識データを記憶する（ステップＳ１０５）。また、認識部２０３では、認識データから納付書の種類判別を行う。
【００７６】
ここで仕分け制御部１０９は、先に大きさ測定部１１０及び厚み測定部１１１から送られてきた寸法データが所定の寸法内であるか否かを判断する（ステップＳ１０６）。具体的には、長さが９０ｍｍ以上２３０ｍｍ以下、且つ、幅が８０ｍｍ以上１３０ｍｍ以下、且つ、厚みが０．１５ｍｍ以下であるか否かを確認する。そして、納付書の寸法がこの範囲内にあれば、所定の寸法内と判断し、この範囲外であれば所定の寸法外であると判断する。
【００７７】
まず、納付書が所定の寸法内であると判断された場合（ステップＳ１０６肯定）について説明する。納付書が所定の寸法内であると判断された場合、仕分け制御部１０９は、認識部２０３での種類判別結果に基づいて納付書の仕分け排出が可能であるか否かを判断する（ステップＳ１０７）。ここで、ＯＣＲによる認識が正常になされており、納付書の種類が判別できる場合（換言すると、帳票の種類の判別が正常に行われた場合）は該納付書の仕分け排出が可能であると判断される。一方、ＯＣＲによる認識が正常になされておらず、各納付書の種類が判別できていない場合（換言すると、帳票の種類の判別が正常に行われなかった場合）は該納付書の仕分け排出が不可能であると判断される。
【００７８】
納付書の仕分け排出が可能であると判断された場合は（ステップＳ１０７肯定）、仕分け制御部１０９は、ＯＣＲでの種類判別結果に基づいて納付書の搬送先が特定できるか否か、すなわち該当する仕分け用ポケット１０８Ｂ〜１０８Ｋが存在しているか否かを判断する（ステップＳ１０８）。
【００７９】
ここで、該当する仕分け用ポケット１０８Ｂ〜１０８Ｋが存在する場合には（ステップＳ１０８肯定）、納付書を排出する仕分け用ポケットを指定し、該仕分け用ポケットへの搬送を制御する。これにより、納付書はその種別毎に所定の仕分け用ポケットに排出されて仕分け収納される（ステップＳ１０９）。仕分け用ポケット１０８Ｂ〜１０８Ｋに排出されて仕分け収納された納付書については、認識データの確認・修正が行われる（ステップＳ１１０）。  認識データの確認・修正は、図１６に示すようなＯＣＲ読み取りの結果が示された「公金入力」の画面から、確認・修正したい認識データを選択し、「イメージ入力（Ｆ２）」のボタンを選択して得られる図１７の画面で行われる。
【００８０】
なお、図１６に示す画面においては、「公金入力」の画面の認識データ表示欄２０２−１に認識データの内容が表示され、ＯＣＲ合計欄２０２−３にはＯＣＲで認識した納付書枚数の合計および納付書金額の合計が表示される。また、認識データ表示欄２０２−１において選択されているデータが選択表示欄２０２−４に表示され、ＯＣＲで読み取った納付書の枚数がＯＣＲ読み取り枚数表示欄２０２−５に表示される。そして、認識データ表示欄２０２−１において正常に認識されていない納付書のデータには、たとえば種別が入力されていない納付書のデータは赤色、金額が入力されていない納付書のデータは黄色、のように所定の色により区別がなされおり、未確定項目のあるデータが一目でわかるようになっている。
【００８１】
また、図１７に示す修正画面には、認識データ表示欄２０２−１と、イメージ画像を表示するイメージ表示欄２０２−６と、修正データを入力する認識データ確認・修正欄２０２−７と、が表示される。認識データ確認・修正欄２０２−７には、選択した認識データの情報が表示されている。また、図１７に示す修正画面には、帳票の連続処理を行う「前の帳票」、「後の帳票」のボタン、イメージ画像の移動等の操作に用いる「範囲選択開始」、「ドラッグモード」、「回転（９０度）」、「拡大／縮小」、「全画面表示」のボタンがある。
【００８２】
作業者は、図１７の画面においてイメージ表示欄２０２−６と認識データ確認・修正欄２０２−７との表示を比較し、認識データの正当性を確認する。そして、修正すべき事項がない場合は、図１７の画面の「確定（Ｆ１）」のボタンを選択する。これにより認識データの確認が終了し、確認された認識データは正式な認識データとして取り扱われる。
【００８３】
また、修正すべき事項がある場合は、図１７の画面の認識データ確認・修正欄２０２−７の中の修正したい項目を選択し、修正データを入力し、最後に「確定（Ｆ１）」のボタンを選択する。これにより認識データの確認・修正が終了し、修正された修正データはデータ記憶部２０４において記憶され、正式な認識データとして取り扱われる。以上により、納付書仕分け収納の一連の処理が終了する。
【００８４】
なお、上述した納付書枚数や納付書金額等のデータは、納付書のデータを集計して集計伝票等を作成する際に用いられるが、単に納付書の仕分け処理のみを目的として作業する場合にはこれらのデータは特に必要が無く、これらのデータの認識の正当性は問題とされない。したがって、単に納付書の仕分け処理のみを目的として作業する場合には、納付書の種別のみが正常に認識されていれば良い。
【００８５】
納付書の仕分け排出が不可能であると判断された場合（ステップＳ１０７否定）、或いは、納付書の仕分け排出は可能であるが、該当する仕分け用ポケット１０８Ｂ〜１０８Ｋが存在しない場合（ステップＳ１０８否定）には、該納付書は一時保留部１０６に搬送され、保留される（ステップＳ１１１）。このように、読み取ったデータの認識が正常に行われなかった納付書のみを一時保留部１０６に保留することで、納付書の処理効率を向上させることができる。
【００８６】
ここで、一時保留部１０６は複数設けられているので、所定の条件により保留する一時保留部１０６を指定して分類保留することも可能である。また、特に分類保留しない構成としても良く、この場合においては、一時保留部１０６を上から順に使用するのが好ましい。すなわち、一番上の一時保留部１０６が一杯となると、上から２番目、その次に上から３番目と順に使用するのが好ましい。このように使用することにより、納付書の記載データを読み取ってから一時保留部１０６に至るまでの距離を稼げ、仕分け制御部１０９における判断時間に余裕を与えることができる。すなわち、仕分け処理作業中に、たとえば帳票の搬送を停止するような事態をなるべく避けることが可能となる。
【００８７】
納付書が一時保留部１０６に保留された場合の処理について、図１０のフローチャートを参照しながら説明する。一時保留部１０６に納付書が保留されると、一時保留部１０６に保留された納付書の認識データの確認・修正を行う。認識データの確認・修正は、図１６に示す「公金入力」の画面の認識データ表示欄２０２−１で各認識データを選択し、「イメージ入力（Ｆ２）」のボタンを選択する。「イメージ入力（Ｆ２）」のボタンを選択すると、図１７に示すように認識データ表示欄２０２−１と、イメージ表示欄２０２−６と、認識データ確認・修正欄２０２−７と、が表示された修正画面に切り替わる。認識データ確認・修正欄２０２−７には、選択した認識データの情報が表示されている。
【００８８】
作業者は、この画面においてイメージ表示欄２０２−６と認識データ確認・修正欄２０２−７との表示を比較し、認識データの正当性を確認する。認識データの正当性が確認され、納付書の種類が判別できる場合、すなわちＯＣＲによる認識が正常に行われている場合には、「確定（Ｆ１）」のボタンを選択する。これにより、ＯＣＲにより認識された認識データの確認が終了し、確認された認識データは正式な認識データとして取り扱われる。
【００８９】
一方、認識データの正当性を確認した結果、認識データの間違いが認められた場合には、認識データ確認・修正欄２０２−７の中の追加・修正したい項目を選択し、イメージ表示欄２０２−６を参照して追加・修正データを入力し、最後に「確定（Ｆ１）」のボタンを選択する。これにより、ＯＣＲにより認識された認識データの確認・修正が終了し、修正された修正データはデータ記憶部２０４において記憶され、この後は修正データが正式な認識データとして取り扱われる（ステップＳ２０１）。
【００９０】
そして、仕分け制御部１０９によって、修正が正しく行われたか否か、すなわち修正された認識データに基づいて納付書の仕分け排出が可能であるか否かが判断される（ステップＳ２０２）。ここで、修正が正しくない場合は（ステップＳ２０２否定）、ステップＳ２０１に戻る。また、修正が正しい場合は（ステップＳ２０２肯定）、仕分け制御部１０９は、排出指示があるか否かを判断する（ステップＳ２０３）。ここで、排出指示がない場合は（ステップＳ２０３否定）、ステップＳ２０３を繰り返す。
【００９１】
また、排出指示がある場合には（ステップＳ２０３肯定）、仕分け制御部１０９は、ＯＣＲでの種類判別結果に基づいて納付書の搬送先が特定できるか否か、すなわち該当する仕分け用ポケット１０８Ｂ〜１０８Ｋが存在しているか否かを判断する（ステップＳ２０４）。認識データの確認・修正を行った場合は、確認・修正した認識データに含まれる所定のデータに基づいた種類判別結果に基づいて、納付書の搬送先が特定できるか否かを判断する。ここで、該当する仕分け用ポケット１０８Ｂ〜１０８Ｋが存在する場合には（ステップＳ２０４肯定）、図９におけるステップＳ１０９、Ｓ１１０と同様の手順が行われる。
【００９２】
一方、該当する仕分け用ポケット１０８Ｂ〜１０８Ｋが存在しない場合には（ステップＳ２０４否定）、該納付書は一時保留部１０６に搬送され、保留される（ステップＳ２０５）。ここでは、仕分け用ポケット１０８Ｂ〜１０８Ｋの数以上の順番に指定されている種別の納付書や、ＯＣＲで種類判別がなされているが排出先の仕分け用ポケットが指定されていない納付書などが保留される。
【００９３】
そして、仕分け制御部１０９は、ポケット指定種別の変更指示があるか否かを判断する（ステップ２０６）。ここで、ポケット指定種別の変更指示が無い場合には（ステップ２０６否定）、ステップＳ２０４に戻り、納付書の搬送先が特定できるか否かの判断を繰り返す。また、ポケット指定種別の変更指示がある場合には（ステップ２０６肯定）、該当する仕分け用ポケットの指定種別を変更する（ステップＳ２０７）。
【００９４】
つぎに、仕分け制御部１０９は、排出指示があるか否かを判断する（ステップＳ２０８）。ここで、排出指示がない場合は（ステップＳ２０８否定）、ステップＳ２０８を繰り返す。また、排出指示がある場合には（ステップＳ２０８肯定）、図９におけるステップＳ１０９、Ｓ１１０と同様の手順が行い、一時保留部１０６に保留した納付書の仕分け収納処理を行う。なお、仕分け用ポケット１０８Ｂ〜１０８Ｋの数以上の順番に指定されている種別の納付書の場合は、仕分け用ポケット１０８Ｂ〜１０８Ｋに空きができたときに、「排出（Ｆ５）」のボタンを選択して排出指示を出す。また、ＯＣＲで種類判別がなされているが排出先のポケットが指定されていない納付書の場合は、「ポケット変更（Ｆ６）」のボタンを選択して排出先のポケットが指定を行った後、「排出（Ｆ５）」のボタンを選択して排出指示を出す。以上により、納付書仕分け収納の一連の処理が終了する。
【００９５】
図９に戻って、納付書が所定の寸法外であると判断された場合（ステップＳ１０６否定）について説明する。納付書が所定の寸法外であると判断された場合、仕分け制御部１０９は、認識部２０３での種類判別結果に基づいて納付書の仕分け排出が可能であるか否かを判断する（ステップＳ１１２）。判断の基準はステップＳ１０７の場合と同様である。
【００９６】
納付書の仕分け排出が可能であると判断された場合は（ステップＳ１１２肯定）、仕分け制御部１０９は、ＯＣＲでの種類判別結果に基づいて納付書の搬送先が特定できるか否か、すなわち該当する仕分け用ポケット１０８Ｂ〜１０８Ｋが存在しているか否かを判断する（ステップＳ１１３）。ここで、該当する仕分け用ポケット１０８Ｂ〜１０８Ｋが存在する場合には（ステップＳ１１３肯定）、納付書を排出する仕分け用ポケットを指定し、該仕分け用ポケットへの搬送を制御する。これにより、納付書はその種別毎に所定の仕分け用ポケットに排出されて仕分け収納される（ステップＳ１０９）。仕分け用ポケット１０８Ｂ〜１０８Ｋに排出されて仕分け収納された納付書については、データ確認・修正が行われる（ステップＳ１１０）。以上により、納付書仕分け収納の一連の処理が終了する。
【００９７】
一方、納付書の仕分け排出が不可能であると判断された場合（ステップＳ１１２否定）、或いは、納付書の仕分け排出は可能であるが、該当する仕分け用ポケット１０８Ｂ〜１０８Ｋが存在しない場合（ステップＳ１１３否定）には、該納付書はＲＪポケット１０８ａに排出され、リジェクトされる。これにより、一連の処理が終了する。
【００９８】
以上のように、本実施形態の帳票仕分け処理装置１においては、原則として、帳票に記載された帳票の種類の読み取りが正常に行われなかった帳票、或いは、帳票の種類の読み取りが正常に行われたが収納先が特定されていない帳票について、一時保留部に一時保留するようになっている。一方、帳票の種類の読み取りが正常に行われ、且つ、収納先が特定されている帳票は、ポケット（収納手段）に分類収容するようになっている。このため、多種類の帳票を効率良く処理でき、且つ、作業者の作業時間の自由度を高めて作業負担を軽減することができる。
【００９９】
そして、本実施形態の帳票仕分け処理装置１においては、帳票の寸法測定を行い、所定の寸法外の帳票については一時保留部１０６に保留されないように制御する構成となっている。このために、所定の寸法外の帳票が一時保留部１０６に保留されることがなく、一時保留部１０６の破損を防止できる。そして、このような構成の場合、事前に取り扱う帳票の選別作業を行うことなく（或いは事前に取り扱う帳票の選別作業を低減して）大量の帳票の仕分け処理が可能であるために、作業負担が軽減できるとともに、仕分けの効率が向上する。
【０１００】
なお、本発明は以上に示した実施形態に限定される趣旨ではなく、本発明の要旨を逸脱しない範囲において適宜変更可能である。
【０１０１】
例えば、以上に示した実施形態では、帳票の寸法が所定の寸法内であるか否かを判断するための寸法を得る構成として、サイズ測定部１１０及び厚み測定部１１１から成る寸法測定手段を用いる構成とした。しかし、寸法を得るための構成は本実施形態の構成に限定される趣旨ではない。例えば、データ記憶部２０４（他の記憶部、例えば特定データ記憶部１０９ａ等でも勿論良い）に帳票の種類と、帳票の厚さ及び大きさ（帳票の寸法）とを関連付けたデータを記憶しておく。すなわち、データ記憶部２０４に寸法記憶手段として機能を持たせる。このようにすれば、認識部２０３で帳票の種類の判別が正常に行われた帳票については、帳票の種類がわかっているために、データ記憶部２０４から帳票の寸法を読み出すことができる。したがって、このような構成でも帳票の寸法を得ることが可能である。
【０１０２】
上述の寸法記憶手段（データ記憶部２０４）に帳票の寸法データを記憶させて、寸法記憶手段から帳票の寸法を得ることが可能な構成を備えた帳票仕分け処理装置の動作例を図１８に示す。ここでも公共料金の料金納付用の納付書を一例として想定している。図１８のフローにおいて、帳票の仕分け処理が開始されてＯＣＲにより文字を識別して、認識データから納付書の種類の判別を行う動作（ステップＳ２０１〜Ｓ２０５）は、図９に示すフローのステップＳ１０１〜Ｓ１０５と同様である。このため、この部分の説明は省略する。
【０１０３】
次に納付書のデータによって仕分け排出が可能であるか否か、すなわち、認識データによって帳票の種類の判別が正常に行われた否かが確認される（ステップＳ２０６）。帳票の種類の判別が正常に行われた場合（ステップＳ２０６肯定）、仕分け制御部１０９は、ＯＣＲでの種類判別結果に基づいて納付書の搬送先が特定できるか否か、すなわち該当する仕分け用ポケット１０８Ｂ〜１０８Ｋが存在しているか否かを判断する（ステップＳ２０７）。
【０１０４】
ここで、該当する仕分け用ポケット１０８Ｂ〜１０８Ｋが存在する場合（ステップＳ２０７肯定）には、納付書を排出する仕分け用ポケットを指定し、該仕分け用ポケットへの搬送を制御する。これにより、納付書はその種別毎に所定の仕分け用ポケットに排出されて仕分け収納される（ステップＳ２０８）。仕分け用ポケット１０８Ｂ〜１０８Ｋに排出されて仕分け収納された納付書については、認識データの確認・修正が行われる（ステップＳ２０９）。
【０１０５】
一方、納付書の搬送先が特定できない場合（ステップＳ２０７否定）には、仕分け制御部１０９はデータ記憶部２０４に予め記憶しておいた帳票の種類ごとの寸法データから該当する寸法を読み出す（ステップＳ２１０）。なお、ここでは帳票の種類の判別は正常に行われているために、予め記憶した寸法データからの寸法の読み出しが可能である。
【０１０６】
また、納付書の仕分け排出が不可能であると判断された場合（ステップＳ２０６否定）には、帳票の種類がわからないためにデータ記憶部２０４に記憶される寸法データから、対応する寸法を読み出せない。したがって、サイズ測定部１１０及び厚み測定部１１１によって測定された寸法を確認する（ステップＳ２１１）。
【０１０７】
このようにして仕分け制御部１０９は帳票の寸法を得ると、次に、その寸法が所定の寸法内であるか否かを判断する（ステップＳ２１２）。具体例を示すと、長さが９０ｍｍ以上２３０ｍｍ以下、且つ、幅が８０ｍｍ以上１３０ｍｍ以下、且つ、厚みが０．１５ｍｍ以下であるか否かを確認する。そして、納付書の寸法がこの範囲内にあれば、所定の寸法内と判断し、この範囲外であれば所定の寸法外であると判断する。
【０１０８】
ここで、帳票の寸法が所定の寸法内である場合（ステップＳ２１２肯定）には、仕分け制御部１０９は、その帳票を一時保留部１０６に保留する（ステップＳ２１３）。すなわち、種類の判別は正常に行われて搬送先が特定されなかったが所定の寸法内であるもの、或いは、帳票の種類の判別が正常に行われなかったが所定の寸法内であるものが一時保留部１０６に保留されることになる。なお、一時保留部１０６に保留された帳票の処理は、図１０に示すフローと同様の処理が施される。
【０１０９】
一方、帳票の寸法が所定の寸法外である場合（ステップＳ２１２否定）には、リジェクト部として機能するＲＪポケット１０８Ａに排出される（ステップＳ２１４）。すなわち、帳票の種類の判別が正常に行われたが、搬送先が特定できずに所定の寸法外であるもの、或いは、帳票の種類の判別が正常に行われず所定の寸法外であるものは、一時保留部１０６の破損防止等のために、一時保留部１０６には入れずに装置外へ排出されることになる。
【０１１０】
また、以上に示した実施形態では、納付書を仕分け収納する場合に、搬送先が特定されているか否かを確認し、搬送先が特定されている場合に仕分け収納する構成とした。これは、帳票の種類が仕分けポケット数より多い場合を前提とする構成であり、帳票の種類が仕分けポケット数以下である場合には、搬送先が特定できるか否かの確認を行う必要がない。このため、このような場合は、搬送先が特定できるか否かの確認を行わないで仕分け制御を行う構成とできるのは言うまでもない。
【０１１１】
また、以上では、原則として種類の判別が正常に行われた帳票は仕分け収容し、種類の判別が正常に行われなかった帳票であって所定の寸法内の帳票は一時保留し、種類の判別が正常行われなかった帳票であって所定の寸法外の帳票についてはリジェクトする構成とした。しかし、本発明は、この構成に限定される趣旨ではない。すなわち、例えば、原則として、記載されるデータの読み取りが行われた帳票は全て一時保留するようにし、この場合に所定の寸法外の帳票についてのみ一時保留することなくリジェクトする構成等としても良く、このような構成も本発明の実施形態に該当する。
【０１１２】
また、本実施形態では、リジェクト用のポケット（ＲＪポケット１０８Ａ）を１つのみとした。しかし、この構成に限定される趣旨ではなく、複数としても構わない。ＲＪポケットを複数とする場合には、例えば、寸法の違いによって排出先が異なるように構成すること等が可能である。
【０１１３】
また、以上に示した実施形態では寸法測定手段（サイズ測定部１１０及び厚み測定部１１１）の位置をエンドーサ１０４及び帳票データ読み取り部１０５の手前をしたが、これに限定される趣旨ではない。すなわち、寸法測定手段による寸法測定は、帳票が１枚ずつに分離された後であって一時保留部１０６に入る手前の位置で行われれば良く、そのような測定が行われるように寸法測定手段の配置を決定すれば良い。
【０１１４】
また、以上に示した実施形態では、一時保留部１０６が、カセットと２本のテープとを備える構成である場合について示した。しかし、一時保留部の構成はこれに限らず、適宜変更可能である。
【０１１５】
また、以上に示した実施形態では、仕分け処理対象の帳票として公共料金の納付書の場合を示した。しかし、本発明はこれに限定されるものではなく、たとえば国税、社会保険料などの歳入金の納付書や有価証券など、券面の情報を読み取って分類することができる種々の帳票類に広く適用可能である。
【産業上の利用可能性】
【０１１６】
本発明にかかる帳票仕分け処理装置は、多種類の帳票を効率的に仕分けるために有用である。
【図面の簡単な説明】
【０１１７】
【図１】は、本実施形態にかかる帳票仕分け処理装置の概略構成を説明する図である。
【図２】は、帳票仕分け処理装置本体に備えられるサイズ測定部の構成を説明する図である。
【図３】は、帳票仕分け処理装置本体に備えられる厚み測定部の構成を説明する図である。
【図４】は、帳票のイメージ画像を示す図である。
【図５】は、一時保留部の一構成例を説明する断面図である。
【図６】は、第１の巻取りローラの周辺部を示す要部斜視図である。
【図７】は、第２の巻取りローラへの帳票の収納を説明するための要部斜視図である。
【図８】は、一時保留部の一構成例を説明する断面図である。
【図９】は、帳票仕分け処理装置の処理手順を示すフローチャートである。
【図１０】は、帳票仕分け処理装置の処理手順を示すフローチャートで、特に一時保留された帳票の仕分け処理を示すフローチャートである。
【図１１】は、帳票仕分け処理中の表示部の表示画面を示した図である。
【図１２】は、帳票仕分け処理中の表示部の表示画面を示した図である。
【図１３】は、帳票仕分け処理中の表示部の表示画面を示した図である。
【図１４】は、帳票仕分け処理中の表示部の表示画面を示した図である。
【図１５】は、帳票仕分け処理中の表示部の表示画面を示した図である。
【図１６】は、帳票仕分け処理中の表示部の表示画面を示した図である。
【図１７】は、帳票仕分け処理中の表示部の表示画面を示した図である。
【図１８】は、本発明の他の実施形態について説明するための図である。
【符号の説明】
【０１１８】
１  帳票仕分け処理装置
１０  帳票仕分け処理装置本体
２０  外部制御装置
３０  帳票
１０１  ホッパ
１０２  繰り出しローラ
１０３  搬送路
１０４  エンドーサ
１０５  帳票データ読み取り部（読み取り手段）
１０６  一時保留部
１０７  排出ローラ
１０８Ａ  ＲＪポケット（リジェクト部）
１０８Ｂ〜１０８Ｋ  仕分け用ポケット（収納手段）
１０９  仕分け制御部
１０９ａ  特定データ記憶部（記憶手段）
１１０  サイズ測定部（寸法測定手段）
１１１  厚み測定部（寸法測定手段）
２０１  制御部
２０２  表示部
２０３  認識部
２０４  データ記憶部（寸法記憶手段）
２０５  修正部
２０６  操作部
３０１  カセット
ＴＡ、ＴＰ  テープ
【図１】
2010064830.tif 000003
【図２】
2010064830.tif 000004
【図３】
2010064830.tif 000005
【図４】
2010064830.tif 000006
【図５】
2010064830.tif 000007
【図６】
2010064830.tif 000008
【図７】
2010064830.tif 000009
【図８】
2010064830.tif 000010
【図９】
2010064830.tif 000011
【図１０】
2010064830.tif 000012
【図１１】
2010064830.tif 000013
【図１２】
2010064830.tif 000014
【図１３】
2010064830.tif 000015
【図１４】
2010064830.tif 000016
【図１５】
2010064830.tif 000017
【図１６】
2010064830.tif 000018
【図１７】
2010064830.tif 000019
【図１８】
2010064830.tif 000020